【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
データ通信信号を処理するように構成されたモジュール電子回路と、
第１の端部及び第２の端部の間において長手軸の方向に延びる細長い矩形形状を有するモジュール・ハウジングであって、前記モジュール・ハウジングの前記第１の端部が、信号ケーブルを受け入れるためのモジュール・ポートを有し、前記モジュール・ハウジングの前記第２の端部が、電気接点を有し、前記モジュール電子回路が、前記モジュール・ポートと、前記電気接点との間における前記データ通信信号のための処理経路を提供する、モジュール・ハウジングと、
前記長手軸の方向に延びる細長い形状を有し、前記モジュール・ハウジングに対して前記長手軸の方向にスライド可能に配置されたアクチュエータ・ハンドルと、
第１のアーム構造と、前記第１のアーム構造に対して実質的に垂直な向きの第２のアーム構造とを有する実質的にＴ字形のクランクであって、前記第１のアーム構造が、クランク旋回軸において前記モジュール・ハウジングに旋回可能に接続された第１の端部と、そこから延びるピンを有する第２の端部とを有し、前記第２のアーム構造が、前記第１のアーム構造の前記第１の端部と前記第１のアーム構造の前記第２の端部との間において、前記第１のアーム構造の一部に固定的に接続された第１の端部を有し、前記第２のアーム構造が、リスト旋回軸において前記アクチュエータ・ハンドルに旋回可能に接続された第２の端部を有し、前記リスト旋回軸が、前記モジュール・ハウジングに対して前記長手軸の方向にスライド可能に配置される、実質的にＴ字形のクランクと
を含むデータ通信モジュール。
【請求項２】
前記モジュール・ハウジングに固定的に接続された第１の部分と、前記Ｔ字形のクランクの一部に隣接する第２の部分とを有する戻りばねをさらに含む、請求項１又は請求項２に記載のデータ通信モジュール。
【請求項３】
前記第１のアーム構造は、横材及び２本のアームを備えた実質的にＵ字形であり、前記第１のアーム構造の前記２本のアームは、前記クランク旋回軸に接続され、前記ピンは、前記横材から延びる、請求項１に記載のデータ通信モジュール。
【請求項４】
前記第２のアーム構造は、２本のアームを含み、前記第２のアーム構造の前記２本のアームの各々が、前記第１のアーム構造の前記２本のアームのうちの対応する１本に接続される、請求項３に記載のデータ通信モジュール。
【請求項５】
データ通信信号を処理するように構成されたモジュール電子回路と、
第１の端部及び第２の端部の間において長手軸の方向に延びる細長い矩形形状を有するモジュール・ハウジングであって、前記モジュール・ハウジングの前記第１の端部が、信号ケーブルを受け入れるためのモジュール・ポートを有し、前記モジュール・ハウジングの前記第２の端部が、電気接点を有し、前記モジュール電子回路が、前記モジュール・ポートと、前記電気接点との間における前記データ通信信号のための処理経路を提供する、モジュール・ハウジングと、
前記長手軸の方向に延びる細長い形状を有するアクチュエータ・ハンドルであって、ハンドル・ラッチ位置とハンドル・ラッチ解除位置との間において、前記モジュール・ハウジングに対して前記長手軸の方向にスライド可能であるアクチュエータ・ハンドルと、
第１のアーム構造と、前記第１のアーム構造に対して実質的に垂直な向きの第２のアーム構造とを有する実質的にＴ字形のクランクであって、前記第１のアーム構造が、クランク旋回軸において前記モジュール・ハウジングに旋回可能に接続された第１の端部と、そこから延びるピンを有する第２の端部とを有し、前記第２のアーム構造が、前記第１のアーム構造の前記第１の端部と前記第１のアーム構造の前記第２の端部との間において、前記第１のアーム構造の一部に固定的に接続された第１の端部を有し、前記第２のアーム構造が、リスト旋回軸において前記アクチュエータ・ハンドルに旋回可能に接続された第２の端部を有し、前記リスト旋回軸が、前記モジュール・ハウジングに対して前記長手軸の方向にスライド可能に配置され、前記クランク旋回軸及び前記リスト旋回軸が、前記長手軸に対して垂直な向きのそれぞれの軸上で旋回し、前記リスト旋回軸は、前記アクチュエータ・ハンドルが前記ハンドル・ラッチ位置と前記ハンドル・ラッチ解除位置との間でスライドすることに応答し、クランク・ラッチ位置とクランク・ラッチ解除位置の間において、前記モジュール・ハウジングに対して前記長手軸の方向にスライド可能であり、前記ピンは、前記リスト旋回軸が前記クランク・ラッチ位置と前記クランク・ラッチ解除位置との間でスライドすることに応答し、ピン・ラッチ位置とピン・ラッチ解除位置との間において、前記長手軸、並びに前記クランク旋回軸及び前記リスト旋回軸のそれぞれの軸に対して垂直な方向に移動可能である、実質的にＴ字形のクランクと
を含むデータ通信モジュール。
【請求項６】
前記モジュール・ハウジングに固定的に接続された第１の部分と、前記Ｔ字形のクランクの一部に隣接する第２の部分とを有する戻りばねをさらに含む、請求項５に記載のデータ通信モジュール。
【請求項７】
前記第１のアーム構造は、横材及び２本のアームを備えた実質的にＵ字形であり、前記第１のアーム構造の前記２本のアームは、前記クランク旋回軸に接続され、前記ピンは、前記横材から延びる、請求項５又は請求項６に記載のデータ通信モジュール。
【請求項８】
前記第２のアーム構造は、２本のアームを含み、前記第２のアーム構造の前記２本のアームの各々が、前記第１のアーム構造の前記２本のアームのうちの対応する１本に接続される、請求項７に記載のデータ通信モジュール。
【請求項９】
ケージからデータ通信モジュールをラッチ解除する方法であって、前記データ通信モジュールが、モジュール電子回路と、長手軸の方向に延びる細長いモジュール・ハウジングと、アクチュエータ・ハンドルと、実質的にＴ字形のクランクとを含むものにおいて、
前記アクチュエータ・ハンドルをハンドル・ラッチ位置からハンドル・ラッチ解除位置まで前記長手軸の方向にスライドさせることを含み、前記アクチュエータ・ハンドルが、前記長手軸の方向に延びる細長い形状を有し、
前記アクチュエータ・ハンドルをスライドさせることに応答し、前記実質的にＴ字形のクランクが、クランク・ラッチ位置からクランク・ラッチ解除位置までクランク旋回軸上で旋回し、前記Ｔ字形のクランクが、第１のアーム構造と、前記第１のアーム構造に対して実質的に垂直な第２のアーム構造とを有し、前記第１のアーム構造が、前記クランク旋回軸において前記モジュール・ハウジングに旋回可能に接続された第１の端部と、そこから延びるピンを有する第２の端部とを有し、前記第２のアーム構造が、前記第１のアーム構造の前記第１の端部と前記第１のアーム構造の前記第２の端部との間において、前記第１のアーム構造の一部に固定的に接続された第１の端部を有し、前記第２のアーム構造が、リスト旋回軸において前記アクチュエータ・ハンドルに旋回可能に接続された第２の端部を有し、前記実質的にＴ字形のクランクを前記クランク旋回軸上で旋回させることに応答し、前記ピンが、前記ピンが前記ケージの一部と係合するピン・ラッチ位置から、前記ケージの前記一部から前記ピンの係合が解除されるピン・ラッチ解除位置まで、前記モジュール・ハウジングに向けて後退することからなる、方法。
【請求項１０】
前記ケージから前記データ通信モジュールを取り出すステップと、
前記アクチュエータ・ハンドルを離すステップと、
前記アクチュエータ・ハンドルを離すことに応答し、前記モジュール・ハウジングに接続された戻りばね、及び前記Ｔ字形のクランクにより、前記実質的にＴ字形のクランクを前記クランク・ラッチ解除位置から、弾性によって押し進めるステップと
をさらに含む、請求項９に記載の方法。
【請求項１１】
前記第１のアーム構造は、横材及び２本のアームを備えた実質的にＵ字形であり、前記第１のアーム構造の前記２本のアームは、前記クランク旋回軸に接続され、前記ピンは、前記横材から延びる、請求項９又は請求項１０に記載の方法。
【請求項１２】
前記第２のアーム構造は、２本のアームを含み、前記第２のアーム構造の前記２本のアームの各々は、前記第１のアーム構造の前記２本のアームのうちの対応する１本に接続される、請求項１１に記載の方法。